(57)【要約】    【課題】  ＰＷＭ制御の任意の１周期におけるランプ電流の目標値間移行時の制御を適切に行うことによって、放電ランプの明るさのちらつき発生を防止した放電ランプ点灯装置およびこれを用いた照明器具を提供する。    【解決手段】  放電ランプ点灯装置は、直流電源RDCと、直流電源から供給される直流電圧を交流電圧に変換するインバータ回路INVと、共振回路を含みインバータ回路の出力端に接続されるとともに、インバータ回路と放電ランプDLとの間に介在する負荷回路LCと、放電ランプをＰＷＭ制御して調光するときに、ＰＷＭ制御の１周期において少なくとも２つの異なる目標値が設定され、隣接する目標値期間の間にランプ電流が順次変化する移行期間が設けられ、かつ移行期間中にフィードバック制御を行って放電ランプを調光点灯する制御手段CCとを具備している。【選択図】図１
2009158171.tif 000002
【特許請求の範囲】
【請求項１】
直流電源と；
直流電源から供給される直流電圧を交流電圧に変換するインバータ回路と；
共振回路を含みインバータ回路の出力端に接続されるとともに、インバータ回路と放電ランプとの間に介在する負荷回路と；
放電ランプをＰＷＭ制御して調光するときに、ＰＷＭ制御の１周期において少なくとも２つの異なる目標値が設定され、隣接する目標値期間の間にランプ電流が順次変化する移行期間が設けられ、かつ移行期間中にフィードバック制御を行って放電ランプを調光点灯する制御手段と；
を具備していることを特徴とする放電ランプ点灯装置。
【請求項２】
制御手段は、放電ランプが実質的に消灯する目標値と放電ランプが実質的に点灯する目標値とが設定され、移行期間において、蛍光ランプの点灯以前はランプ電圧のフィードバック制御を行い、かつ放電ランプの点灯後はランプ電流のフィードバック制御を行うことを特徴とする請求項１または２記載の放電ランプ点灯装置。
【請求項３】
制御手段は、ＰＷＭ制御の１周期において実質的に点灯の目標値期間と実質的に消灯の目標値区間とが設定され、実質的に点灯の目標値期間を、当該期間中の放電ランプの発光量に比例的な変数の積算値が所定値に到達したとき終了させて、実質的に消灯の目標期間に切り換えることを特徴とする１または２記載の放電ランプ点灯装置。
【請求項４】
フィードバック制御の周期がインバータ回路の発振の１周期に同期していることを特徴とする請求項１ないし３のいずれか一記載の放電ランプ点灯装置。
【請求項５】
照明器具本体と；
照明器具本体に配設された放電ランプと；
放電ランプを点灯する請求項１ないし３のいずれか一記載の放電ランプ点灯装置と；
を具備していることを特徴とする照明器具。
【発明の詳細な説明】
【技術分野】
【０００１】
本発明は、深調光領域においてＰＷＭ制御による調光点灯を行う放電ランプ点灯装置の改良およびこれを用いた照明器具に関する。
【背景技術】
【０００２】
放電ランプの深調光領域における調光点灯にはＰＷＭ制御が好適であることはよく知られており、その一構成として、調光手段により電圧変換回路の出力電圧を変化させて放電灯の調光が可能であるとともに、放電灯の調光下限付近においてＬＣ共振回路の共振周波数の近傍の周波数から共振周波数より高い第１の周波数へと所定の時間内に漸次移行させる周波数制御手段を設けることは既知である（特許文献１参照。）。
【０００３】
特許文献１によると、上記所定の時間を、一般にＱ（共振の鋭さ）／ｆ１（変化後の動作周波数）程度と考えられている過渡応答時間よりも長く設定しておくことにより、インバータ回路のスイッチング素子に発生するｄｉ／ｄｔストレスを抑制することができる旨記載されている。
【０００４】
深調光領域においてＰＷＭ制御による調光点灯を行う場合に、間欠的な点灯と消灯の繰り返しを行う中で、消灯から点灯に移行する際に高電圧パルスを放電ランプに印加する必要がある。
【０００５】
【特許文献１】特開２００３−１９７３９２号公報
【発明の開示】
【発明が解決しようとする課題】
【０００６】
ところが、インバータ回路と放電ランプとの間に共振回路を有する負荷回路を介在していると、高電圧パルスの出力にばらつきを生じるために、明るさのちらつきが発生するという問題があった。なお、特許文献１においては、インバータ回路のスイッチング素子に発生するｄｉ／ｄｔストレスを抑制するために、過渡応答時間よりも長い所定時間を移行期間として設定するとともに、当該移行期間に周波数を漸次移行させる必要がある。
【０００７】
本発明は、ＰＷＭ制御の任意の１周期におけるランプ電流の目標値間移行時の制御を適切に行うことによって、放電ランプの明るさのちらつき発生を防止した放電ランプ点灯装置およびこれを用いた照明器具を提供することを目的とする。
【課題を解決するための手段】
【０００８】
本発明の放電ランプ点灯装置は、直流電源と；直流電源から供給される直流電圧を交流電圧に変換するインバータ回路と；共振回路を含みインバータ回路の出力端に接続されるとともに、インバータ回路と放電ランプとの間に介在する負荷回路と；放電ランプをＰＷＭ制御して調光するときに、ＰＷＭ制御の１周期において少なくとも２つの異なる目標値が設定され、隣接する目標値期間の間にランプ電流が順次変化する移行期間が設けられ、かつ移行期間中にフィードバック制御を行って放電ランプを調光点灯する制御手段と；を具備していることを特徴としている。
【０００９】
本発明は以下の態様を許容する。
【００１０】
〔直流電源について〕    直流電源は、後述するインバータ回路から見た入力供給手段であり、直流電圧を出力して、これをインバータ回路に入力電圧として印加する。直流電源は、交流電圧を整流した直流電源、電池電源またはキャパシタなどであってもよい。また、直流電源は、直流電圧変換機能やアクティブフィルタ機能を具備していることを許容する。直流電圧変換機能およびアクティブフィルタ機能は、本発明において特段限定されないが、例えば昇圧チョッパ、降圧チョッパなどを単独で、または多段的に組み合わせ接続して用いることができる。
【００１１】
〔インバータ回路について〕    インバータ回路は、直流電源から出力される直流電圧を交流電圧に変換する手段であり、少なくとも１つのスイッチング素子を含んでいる。本発明において、インバータ回路の回路方式は特段限定されない。例えば、フルブリッジ形インバータ、ハーフブリッジ形インバータ、一石形インバータなどを用いることができる。
【００１２】
〔負荷回路について〕    負荷回路は、共振回路を含んでおり、放電ランプをインバータ回路の出力端に接続する際に、インバータ回路と放電ランプの間に介在される。共振回路を介して放電ランプをインバータ回路の出力端に接続することにより、負荷回路の所望に応じて適度に共振した共振電圧を放電ランプに印加することができる。共振回路は、好ましくは直列共振回路であり、かつ放電ランプは、共振電圧が印加される回路上の位置に接続される。
【００１３】
また、負荷回路は、そこに接続する放電ランプに対して限流インピーダンスを提供することができる。限流インピーダンスとして共振回路のリアクタンスを利用することができる。
【００１４】
〔制御手段について〕    制御手段は、放電ランプをＰＷＭ制御して調光するときに、ＰＷＭ制御の１周期において少なくとも２つの異なる目標値を設定し、隣接する目標値期間の間にランプ電流が順次変化する移行期間を設け、かつ移行期間中にフィードバック制御を行って放電ランプを調光点灯する手段である。本発明において、ＰＷＭ制御とは、所定期間からなる１周期において、少なくとも２値の光出力値を目標値として、各目標値の時比率を制御することにより、時間平均値としての光出力を制御することを意味する。
【００１５】
本発明において、放電ランプの調光は、全光点灯から深調光までの全領域にわたりＰＷＭ制御を行うのでもよいし、深調光領域のみをＰＷＭ制御とし、その他の領域はＡＭ制御としてもよい。なお、ＰＷＭ制御とは、パルス幅制御方式の調光を意味する。また、ＡＭ制御とは、振幅制御方式の調光を意味する。
【００１６】
ＰＷＭ制御の１周期には、インバータ回路の出力が放電ランプに供給されるＯＮすなわち放電ランプが実質的に点灯する目標値と当該出力が供給されないＯＦＦすなわち放電ランプが実質的に消灯する目標値との２つの制御のための目標値が少なくとも含まれる。また、制御の目標値は、ＯＮが複数のレベル値に分かれていて、全体で３つ以上の目標値を設定することができる。そして、各目標値の期間がＰＷＭ制御の１周期の中に設けられる。本発明においては、上記に加えて隣接する２つの目標値期間の間に移行期間を設けている。ただし、移行期間は、実際面において隣接する２つの目標値期間の中の一部であると認識することもできる。なお、ＰＷＭ周波数は、１００Ｈｚないし数ｋＨｚに設定されるのが一般的である。
【００１７】
移行期間においては、隣接する時間的に先行する方の目標値から次の目標値に向けて順次ランプ電流が変化される。そして、その際に、制御手段は、フィードバック制御を行う。このフィードバック制御の対象は、放電ランプに供給される電圧または／およびランプ電流などである。この場合、放電ランプが点灯する以前すなわち始動時にはランプ電圧をフィードバック制御し、放電ランプが始動して点灯した後はランプ電流をフィードバック制御するのが好ましい。上記ランプ電圧フィードバック制御において高電圧の始動電圧を一定に維持させ、またランプ電流フィードバック制御において隣接する次の目標値に向けてランプ電流を安定して傾斜的に順次増減させることができる。
【００１８】
移行期間にランプ電流を順次増減させるための手段は、本発明において特段限定されない。例えば、インバータ回路の発振周波数を固定しておき、負荷回路の共振周波数を変化させる。これにより負荷回路の共振特性カーブ上の上記発振周波数の位置が変化するので、放電ランプに供給されるランプ電流を増減させることができる。また、インバータ回路の発振周波数を変化させるのでもよいし、インバータ回路の入力電圧を変化させてもよい。なお、後者の場合、可変電圧直流電源を用いることにより、入力電圧を可変にできる。
【００１９】
また、制御手段は、ＰＷＭ制御の１周期においてＯＮすなわち放電ランプが実質的に点灯する目標値期間の長さすなわち時間幅を、当該期間中の放電ランプの発光量に比例的な変数の積算値が所定値に到達したときに終了させて、ＯＦＦすなわち実質的に消灯する目標値期間に切り換えるように構成することができる。ここで、放電ランプの発光量に比例的な変数とは、放電ランプの点灯によって形成される照度の検知データや、電気的な変数としてはランプ電力データまたはランプ電流データなどを意味する。また、所定値とは、調光の目標値に対応する変数の積算値である。
【００２０】
上記態様においては、ＰＷＭ制御の１周期における放電ランプの光出力が目標値に到達したら、その時点でＯＮ期間を終了してＯＦＦ期間に移行するので、光出力が安定した調光制御が実現する。特に深調光領域においては、ＰＷＭ制御の１周期中における放電ランプの点灯開始時期のわずかなばらつきが放電ランプの光出力に明るさのちらつきとなってしまうという影響が相対的に顕著になるので、上記影響の抑制に対して効果的である。なお、上記態様は、放電ランプが始動して点灯するまでは制御手段がランプ電圧のフィードバック制御を行い、かつ点灯後にはランプ電流のフィードバック制御を行う場合に効果的である。
【００２１】
さらに、制御手段は、フィードバック制御の周期をインバータ回路の発振の１周期に同期するように短縮すると効果的である。これにより、フィードバック制御の応答が速くなり、目標値への移行を早くすることが可能になり、深調光領域における調光制御が安定する。その結果、調光度０％近くまでの深い調光を安定して行うことができる。
【００２２】
次に、制御手段の許容し得るその他の態様について説明する。
１．制御手段をマイコンおよびＤＳＰ（ディジタルシグナルプロセッサ）などのディジタルデバイスやアナログＩＣを主体として構成する。これにより、上述した制御をきめ細かく実行することが可能になる。本態様によれば、調光制御をきめ細かく正確に行うことができるのに加えて、以下に示す調光制御以外の各種制御のための手段を併せて組み込むことが可能になる。
２．制御手段は、インバータ回路の出力周波数を記憶するなどのために、記憶手段を備えている。
３．制御手段は、インバータ回路の駆動信号を発生する。
４．制御手段は、インバータ回路の出力を所定値に維持するため、または所望に変化させるために帰還制御機能を有している。
５．制御手段は、放電ランプの寿命末期判定および放電ランプ装着有無判定などの保護動作を行う。これに付随して放電ランプ点灯回路にランプ電圧およびランプ電流検出回路などの既知の回路手段を付加することができる。
【００２３】
〔その他の構成について〕    本発明におけるその他の構成として以下を所望により適宜採用することができる。
【００２４】
１．（放電ランプについて）    本発明において、放電ランプは、低圧放電ランプおよび高圧放電ランプのいずれであってもよい。しかし、蛍光ランプのような低圧放電ランプに特に好適である。なお、低圧放電ランプは、フィラメント電極を有する熱陰極形および冷陰極形のいずれであってもよい。また、低圧放電ランプは、蛍光ランプに代表されるが、例えばブラックライト、殺菌ランプなどであってもよい。
【００２５】
２．（フィラメント加熱回路について）    フィラメント加熱回路は、熱陰極形放電ランプのフィラメント電極を所要の程度にランプ電流とは別に補助加熱電流を供給してフィラメント電極を加熱する手段である。フィラメント加熱回路は、放電ランプの始動に先立ってフィラメント電極を加熱するとともに、点灯中も調光度に応じてフィラメント電極を所要に加熱するように構成するのが好ましい。例えば、スイッチング素子を用いて補助加熱電流を調整可能に構成すれば、スイッチング素子のスイッチングを制御することで補助加熱電流を所望に調整することができる。
【００２６】
なお、補助加熱電流の電源は、例えばインバータ回路の出力により付勢されるフィラメントトランスを用いるなど既知の各種回路方式を採用することができる。また、調光率に応じた所要量の補助加熱電流を流すことについては予め測定を行うなどによって知ることができる。
【００２７】
３．（放電ランプ作動状態検出手段について）    放電ランプ作動状態検出手段は、ランプ電圧およびランプ電流の少なくともいずれか一方を検出する手段であり、前述のフィードバック制御を行う場合に用いると効果的である。なお、ランプ電圧およびランプ電流の少なくともいずれか一方を検出する場合、それらを直接検出してもよいし、放電ランプ点灯装置の中のそれらを間接的に検出可能な部位において検出してもよい。
【００２８】
本発明の照明器具は、照明器具本体、放電ランプおよび放電ランプ点灯装置を具備している。照明器具は、放電ランプの発光を利用する全ての手段を包含する概念であり、用途に応じて多様であることを許容する。照明器具本体は、照明器具から放電ランプおよび放電ランプ点灯装置を除外した残余の部分をいう。放電ランプは、既述のとおりである。放電ランプ点灯装置は、以上説明した本発明の放電ランプ点灯装置である。
【発明の効果】
【００２９】
本発明によれば、制御手段が放電ランプをＰＷＭ制御して調光するときに、ＰＷＭ制御の１周期において少なくとも２つの異なる目標値を設定し、隣接する目標値期間の間にランプ電流が順次変化する移行期間を設け、かつ移行期間中にフィードバック制御を行うことにより、放電ランプを調光点灯するＰＷＭ制御の任意の１周期におけるランプ電流の目標値間移行時の制御を適切に行うことが可能になり、始動時の高電圧パルス出力のばらつきが抑制され、放電ランプの明るさのちらつき発生を防止した放電ランプ点灯装置およびこれを用いた照明器具を提供することができる。
【００３０】
また、制御手段が、移行期間において、蛍光ランプの点灯以前はランプ電圧のフィードバック制御を行い、かつ放電ランプの点灯後はランプ電流のフィードバック制御を行うことにより、移行期間中のランプ電流を順次増減させるための手段の如何にかかわらず安定した目標値移行を行うことができる。
【００３１】
さらに、制御手段が、実質的に点灯の目標値期間を、当該期間中の放電ランプの発光量に比例的な変数の積算値が所定値に到達したとき終了させて、実質的に消灯の目標期間に切り換えることにより、光出力が安定した調光制御が実現する。特に深調光領域においては、ＰＷＭ制御の１周期中における放電ランプの点灯開始時期のわずかなばらつきが放電ランプの光出力に明るさのちらつきとなる影響が相対的に顕著になりやすいが、本態様によれば、上記影響の抑制に対して効果的である。
【００３２】
さらにまた、フィードバック制御の周期がインバータ回路の発振の１周期に同期していることにより、フィードバック制御の応答が速くなって、目標値への移行を早くすることが可能になり、深調光領域における調光制御が安定する。
【発明を実施するための最良の形態】
【００３３】
以下、図面を参照して本発明を実施するための形態を説明する。
【００３４】
図１は、本発明の放電ランプ点灯装置を実施するための第１の形態を示す回路図である。本形態において、放電ランプ点灯装置は、直流電源ＲＤＣ、インバータ回路ＩＮＶ、負荷回路ＬＣ、ランプ電圧検出手段ＶｌＤ、ランプ電流検出手段ＩｌＤおよび制御手段ＣＣを備えて構成されている。なお、図中の符号ＡＣは低周波交流電源、ＤＭは調光信号発生手段である。
【００３５】
直流電源ＲＤＣは、全波整流回路ＦＢＲおよび昇圧チョッパＢＵＣからなる。全波整流回路ＦＢＲは、その交流入力端が低周波交流原電ＡＣに接続する。昇圧チョッパＢＵＣは、その入力端が全波整流回路ＦＢＲの直流出力端に接続している。
【００３６】
インバータ回路ＩＮＶは、ハーフブリッジ形インバータからなり、昇圧チョッパＢＵＣの出力端であるところの平滑コンデンサＣ１の両端間に直列接続している１対のスイッチング素子Ｑ１、Ｑ２を備えている。
【００３７】
負荷回路ＬＣは、直流カットコンデンサＣ２および共振回路ＲＣが直列回路を形成してインバータ回路ＩＮＶの出力端間に接続することによって構成されている。共振回路ＲＣは、インダクタＬ１および共振コンデンサＣ３の直列共振回路からなる。共振コンデンサＣ３と並列に放電ランプＤＬが接続される。放電ランプＤＬは、熱陰極形の蛍光ランプからなる。
【００３８】
ランプ電圧検出手段ＶｌＤは、放電ランプＤＬの両端間電圧を検出する手段である。放電ランプＤＬの両端間に一対の抵抗器Ｒ１、Ｒ２を接続して、その一方の抵抗器Ｒ２によって分圧された端子電圧の交流電圧のうち、抵抗器Ｒ２に並列接続したダイオードＤ１により整流することで、正極性の電圧のみを後述する制御手段ＣＣに制御入力するように構成されている。
【００３９】
ランプ電流検出手段ＩｌＤは、放電ランプＤＬとインバータ回路ＩＮＶとの間を接続する接地側の電源ラインに挿入されていて、小さな抵抗値の抵抗器や電流変成器などからなり、ランプ電流の検出出力を後述する制御手段ＣＣに制御入力するように構成されている。
【００４０】
制御手段ＣＣは、マイコンを主体として構成されており、ランプ電圧検出手段ＶｌＤおよびランプ電流検出手段ＩｌＤから送出されるアナログ形式の検出信号を受け入れてディジタル形式に変換するＡ／Ｄコンバータ機能部ＡＤＣ、演算・記憶機能部ＰＭおよび駆動信号発生機能部ＤＳＧなどを備えている。Ａ／Ｄコンバータ機能部ＡＤＣは、ディジタル化された検出データを演算・記憶機能部ＰＭに送出する。演算・記憶機能部ＰＭは、帰還データを目標値データと比較演算して駆動信号の発振周波数を決定し、駆動信号発生機能部ＤＳＧを制御する。駆動信号発生機能部ＤＳＧから発生した駆動信号は、インバータ回路ＩＮＶのスイッチング素子Ｑ１、Ｑ２に供給されてスイッチングさせる。
【００４１】
制御手段は、放電ランプＤＬをＰＷＭ制御による調光する際に、以下に説明する態様の制御動作を行う。
【００４２】
制御手段ＣＣには、図２の目標値タイムチャートに示すように、ＰＷＭ制御の１周期においてランプ電流について２つの目標値Ref.１およびRef.２が予め設定されている。目標値Ref.１は、放電ランプＤＬが実質的に消灯する目標値である。目標値Ref.２は、放電ランプＤＬが実質的に点灯する目標値である。
【００４３】
また、ＰＷＭ制御の１周期Ｔにおいて、目標値Ref.１の期間ｄ１と目標値Ref.２の期間ｄ２とに加えて、移行期間ｄ３およびｄ４が設けられている。移行期間ｄ３は、目標値Ref.１の期間ｄ１と目標値Ref.２の期間ｄ２との間に位置する。移行期間ｄ４は、目標値Ref.２の期間ｄ２と目標値Ref.１の期間ｄ１との間に位置する。移行期間ｄ３では、目標値Ref.１におけるランプ電流値の期間ｄ１から目標値Ref.２のランプ電流の期間との間を傾斜的に結んでランプ電流が順次増大するように制御される。移行期間ｄ４では、目標値Ref.２におけるランプ電流値の期間ｄ２から目標値Ref.１のランプ電流の期間ｄ１との間を傾斜的に結んでランプ電流が順次低減するように制御される。したがって、ＰＷＭ制御の１周期Ｔは、期間ｄ１、ｄ３、ｄ２およびｄ４の和により構成されている。
【００４４】
また、制御手段ＣＣは、移行期間ｄ３、ｄ４にランプ電流を順次増減するために放電ランプ点灯装置の動作を制御する。本形態においては、例えばインバータ回路ＩＮＶの発振周波数をランプ電流の増減の方向へ向けて変化させる。
【００４５】
さらに、制御手段ＣＣは、図３の移行期間を中心とする回路動作を説明するランプ電圧およびランプ電流の模式的波形図に示すように移行期間ｄ３、ｄ４中放電ランプ点灯装置をフィードバック制御する。なお、図３において、（ａ）は目標値タイムチャートの移行期間ｄ３の部分を中心に拡大して示し、（ｂ）は放電ランプのランプ電圧、（ｃ）はランプ電流を、それぞれ示している。
【００４６】
すなわち、移行期間ｄ３の前半部分では、ランプ電圧を始動可能な高電圧を一定値に維持するランプ電圧フィードバック制御Vl-FBCを行い、放電ランプＤＬが始動するのを待つ。また、点灯開始閾値を超えた後半部分では、放電ランプＤＬが点灯したので、ランプ電流フィードバック制御Il-FBCに切り換えて、ランプ電流を目標値Ref.２に到達するように傾斜的に順次増大していく。
【００４７】
移行期間ｄ４では、図示を省略しているが、上記と同様なフィードバック制御を行うものの、目標値がRef.２からRef.１に移行する場面であるため、制御の順序およびランプ電流の増減が逆になる。
【００４８】
図４は、ランプ電圧検出手段の検出動作を説明する各部の波形図で、（ａ）がインバータ回路ＩＮＶのスイッチング素子Ｑ１の駆動信号波形、（ｂ）が検出された交流のランプ電圧波形、（ｃ）が制御手段ＣＣに制御入力する半波整流された帰還電圧波形である。なお、制御手段ＣＣは、駆動信号の中央位置でランプ電圧の瞬時値を帰還信号を読み取り、フィードバック制御を行う。
【００４９】
次に、図５の模式的波形図を参照して本発明の放電ランプ点灯装置を実施するための第２の形態について説明する。すなわち、本形態は、当該期間中の放電ランプＤＬの発光量に比例的な変数、例えばランプ電力の積算値が所定値に到達したときに実質的に点灯の目標値期間ｄ２を終了させて、実質的に消灯の目標期間ｄ１に切り換えるように構成されている。
【００５０】
したがって、本形態においては、ＰＷＭ制御の各周期における放電ランプＤＬの発光量がほぼ一定になる。このため、始動時期にばらつきが生じた場合であっても光出力を安定化することができる。なお、図５では移行期間を省略しているが、前述の移行期間がある場合であっても本質的に同様である。
【図面の簡単な説明】
【００５１】
【図１】本発明の放電ランプ点灯装置を実施するための第１の形態を示す回路図
【図２】同じく目標値タイムチャート
【図３】同じく移行期間を中心とする回路動作を説明するランプ電圧およびランプ電流の模式的波形図
【図４】同じくランプ電圧検出手段の検出動作を説明する各部の波形図
【図５】本発明の放電ランプ点灯装置を実施するための第２の形態を説明する模式的波形図
【符号の説明】
【００５２】
ＡＤＣ…Ａ／Ｄ変換機能部、ＢＵＣ…昇圧チョッパ、Ｃ１…平滑コンデンサ、Ｃ２…直流カットコンデンサ、Ｃ３…共振コンデンサ、ＣＣ…制御手段、ＤＬ…放電ランプ、ＤＭ…調光信号発生手段、ＤＳＧ…駆動信号発生機能部、ＦＢＲ…全波整流回路、ＩｌＤ…ランプ電流検出手段、ＩＮＶ…インバータ回路、Ｌ１…インダクタ、ＬＣ…負荷回路、ＰＭ…演算・記録機能部、Ｑ１、Ｑ２、Ｑ３、Ｑ４…スイッチング素子、ＲＣ…共振回路、ＶｌＤ…ランプ電圧検出手段
【図１】
2009158171.tif 000003
【図２】
2009158171.tif 000004
【図３】
2009158171.tif 000005
【図４】
2009158171.tif 000006
【図５】
2009158171.tif 000007